(57)【特許請求の範囲】
【請求項１】
アンテナが一定以上の力で引っ張られると、アンテナの下部先端に取り付けられたアンテナ電極がアンテナから外れてアンテナ収納溝の底部に落下し、底部に設けられたプラス電極端子とマイナス電極端子の両電極に接触して警報発信装置の回路を閉じて、前記警報発信装置が緊急通報信号を発信する構成からなることを特徴とする携帯電話機。
【請求項２】
前記アンテナ電極は、金属ストッパーに当たったときにアンテナ電極の先端の上部にはめられた反発性部材によって、アンテナ溝の底部へはじき飛ばされる構成からなることを特徴とする請求項１記載の携帯電話機。
【請求項３】
前記アンテナ電極は、金属ストッパーの先端に取り付けられた反発性部材に当たってはじき飛ばされる構成からなることを特徴とする請求項１記載の携帯電話機。
【請求項４】
前記アンテナ収納溝の底部は、底にマイナス電極端子を埋め込まれたベースと溝部の側面に取り付けられたプラス電極端子とからなり、プラス電極端子に戻り防止用の爪を設けた構成からなることを特徴とする請求項２または３に記載の携帯電話機。
【請求項５】
前記アンテナ収納溝の底部は、溝部の側面に取り付けられたマイナス電極端子およびプラス電極端子とからなり、それぞれ電極端子に戻り防止用のふくらみを設けた構成からなることを特徴とする請求項２または３に記載の携帯電話機。
【請求項６】
前記警報発信装置の回路を閉じて発信される発信信号は、携帯電話機の短縮ダイアルの第１番目に指定した緊急通報番号の信号である構成としたことを特徴とする請求項４または５に記載の携帯電話機。
【請求項７】
前記警報発信装置の回路を閉じて発信される発信信号は、携帯電話機に組込まれたブザーをならす信号とする構成からなることを特徴とする請求項４、５または６のいずれかに記載の携帯電話機。
【発明の詳細な説明】
【０００１】
【発明の属する技術分野】
本発明は、緊急通報機能を付加した携帯電話機に関するものである。
【０００２】
【従来の技術】
従来、緊急通報機能を付加した携帯電話機には、使用者より緊急入力があった際に、その緊急入力信号を検出して自動的に警報音を鳴音し、あるいは同時に自動的に発呼を行うことで、使用者が緊急事態の意思表示を行うことができるようにした携帯電話機が提案されている（特開平１１−１６４０５７号）。
【０００３】
すなわち、それは、図７（ａ）に携帯電話機のブロック図で示したように、携帯電話機１０１は、緊急入力手段１０２によって入力された緊急入力を緊急入力検出手段１０３によって検出し、検出結果を中央制御装置１０４に伝達する。中央制御装置１０４は、緊急入力があった場合にサウンダ１０５を制御して自動的に警報１０６を鳴音させるか、あるいは同時に無線機１０７を制御して自動的に発呼１０８を行う。ここで緊急入力検出手段１０３は、図７（ｂ）の緊急入力検出手段のブロック図で示したように、ストラップ２０４を引き抜くことにより緊急入力できるようにしたものである。
【０００４】
【発明が解決しようとする課題】
このようなストラップを引き抜くことによって緊急入力できるようにしてある緊急通報機能付き携帯電話機においては、ストラップが簡単に取り外しし易いものなので誤動作を起こしやすく、また緊急咄嗟時の動転時には特にお年寄りや子供、女性にとって取扱い難いという問題があった。
【０００５】
中には、必要がないとか、有るとかえって煩わしいとかでストラップを付けない人もいるのが実状である。
【０００６】
そこで、本発明が解決しようとする課題は、携帯電話機で、緊急事態に特にお年寄りや子供、女性にとって極めて容易に危険を知らせることのできる緊急通報機能付き携帯電話機を提案することにある。
【０００７】
【課題を解決するための手段】
この課題を解決するために本発明は、アンテナ１が一定以上の力で引っ張られると、アンテナ１の下部先端に取り付けられたアンテナ電極２がアンテナ１から外れてアンテナ収納溝３の底部９に落下し、底部９に設けられたプラス電極端子４とマイナス電極端子５の両電極に接触して警報発信装置６の回路を閉じて、前記警報発信装置６が緊急通報信号を発信する構成からなる携帯電話機であって、前記アンテナ電極２は、金属ストッパー７に当たったときにアンテナ電極２の先端の上部にはめられた反発性部材８によって、アンテナ溝底部９へはじき飛ばされる構成、または、金属ストッパー７の先端に取り付けられた反発性部材８に当たってはじき飛ばされる構成からなり、前記アンテナ収納溝底部９は、底にマイナス電極端子５を埋め込まれたベース１１と溝部３の側面に取り付けられたプラス電極端子４とからなり、プラス電極端子４に戻り防止用の爪４ａを設けた構成、または、溝部３の側面に取り付けられたマイナス電極端子５およびプラス電極端子４とからなり、それぞれ電極端子５，４に戻り防止用のふくらみ５ｂ、４ｂを設けた構成の携帯電話機である。さらに前記警報発信装置６からの発信信号を、携帯電話機の短縮ダイアルの第１番目に指定した緊急通報番号の信号か、または、携帯電話機に組込まれたブザーをならす信号とする携帯電話機である。
【０００８】
【発明の実施の形態】
本発明の請求項１に記載の携帯電話機は、アンテナが一定以上の力で引っ張られると、アンテナの下部先端に取り付けられたアンテナ電極がアンテナから外れてアンテナ収納溝の底部に落下し、底部に設けられたプラス電極端子とマイナス電極端子の両電極に接触して警報発信装置の回路を閉じ、前記警報発信装置が緊急通報信号を発信するように構成されているので、緊急時アンテナを引っ張るだけの簡単な操作で、誰でも容易に急を知らせることができるという作用効果を有する。
【０００９】
また、請求項２及び３に記載の携帯電話機は、前記アンテナ電極が、金属ストッパーに当たったときにアンテナ電極の先端の上部にはめられた反発性部材によって、アンテナ溝の底部へはじき飛ばされるように構成されている、または、前記アンテナ電極が、金属ストッパーの先端に取り付けられた反発性部材に当たってはじき飛ばされるように構成されているので、共にアンテナ電極を急速確実に底部へ到達させる作用効果を発揮するが、特に後者ではアンテナ電極の構造を簡単に製作できるという作用効果がある。
【００１０】
また、請求項４および５に記載の携帯電話機は、前記アンテナ収納溝の底部が、底にマイナス電極端子を埋め込まれたベースと溝部の側面に取り付けられたプラス電極端子とからなり、プラス電極端子に戻り防止用の爪が設けられた構成、または、前記アンテナ収納溝の底部が、溝部の側面に取り付けられたマイナス電極端子およびプラス電極端子とからなり、それぞれ電極端子に戻り防止用のふくらみが設けられた構成になっているので、共にアンテナ電極が底部に当たった反動で溝の上部へ戻らないようにストッパーでアンテナ電極を確実にキャッチして回路をスイッチするという作用効果を有するが、特に後者ではキャッチングを強化できるという作用効果がある。
【００１１】
また、請求項６に記載の携帯電話機は、前記警報発信装置の回路を閉じて発信される発信信号が、携帯電話機の短縮ダイアルの第１番目に指定した緊急通報番号の信号としたものであるから、希望の緊急連絡先にいち早く連絡でき、また持ち主が日ごろから一番に連絡のとりたい相手に自動的に連絡できるという作用効果を有する。
【００１２】
また、請求項７に記載の携帯電話機は、前記警報発信装置の回路を閉じて発信される発信信号が、携帯電話機に組込まれたブザーをならす信号としたものであるから、緊急警報をその場で発して周りの人々へ異常を通知し助けを求めることができるという作用効果を有する。
【００１３】
以下、本発明の実施の形態について、図１から図６を用いて詳しく説明する。
【００１４】
（実施の形態１）
図１は、本発明の一実施の形態による携帯電話機で、裏蓋を外した内部のアンテナ部のみを示す平面図、図２は、同アンテナ電極周囲を示す断面図で、図３は、同アンテナ溝底部における爪部の拡大断面図である。
【００１５】
図１において、１はアンテナ、２はアンテナ電極、３はアンテナ収納溝、４はプラス電極端子、４ａはプラス電極端子に設けた爪、５はマイナス電極端子、６は警報発信装置、７は金属ストッパー、８は反発性部材、９はアンテナ溝底部、１１はベースであって、アンテナ１が一定以上の力で引っ張られると、アンテナ１の下部先端に取り付けられたアンテナ電極２がアンテナ１から外れてアンテナ収納溝３の底部９に落下し、底部９に設けられたプラス電極端子４とマイナス電極端子５の両電極に接触して警報発信装置６を閉じて緊急通報信号を発信するように構成した携帯電話機であって、前記アンテナ電極２は、金属ストッパー７に当たったときにアンテナ電極２の先端の上部にはめられた反発性部材８ではじき飛ばされるように構成された携帯電話機である。
【００１６】
ここで、アンテナ電極２の周囲は、図２の拡大断面図に示すように、通常使用のアンテナ１の伸縮操作では簡単に外れないように、溝内部のアンテナ１の先端には球状の膨らみを設けて、それがアンテナ電極２の凹み部に填め込まれた状態になっている。そして、アンテナ電極２の上部のアンテナ１の周辺にはバネ性を有する反発性部材８が填め込まれて載っている。
【００１７】
今、アンテナ１が一定以上の力、例えば約３０Ｎ以上の力で引き抜かれると、反発性部材８がアンテナ１を携帯電話機ケースに止めてある支持部に取り付けられている金属ストッパー７の先端に当たって反発性部材８が圧縮されその反発力でアンテナ電極２が外れて飛ばされる。
【００１８】
飛ばされたアンテナ電極２は、アンテナ溝底部９に到達し、図３に拡大断面図で示したように、アンテナ収納溝３の底部９にマイナス電極端子５を埋め込まれたベース１１と溝部３の側面に取り付けられたプラス電極端子４との間に収まり（点線で示す）、プラス電極端子４に設けられた戻り防止用の爪４ａでストップし元へ戻らない構成としたものである。
【００１９】
次に、図４は、本発明の携帯電話機を利用した緊急通報の方法を説明する為の裏蓋を外した内部の図であって、（ａ）は、アンテナ１の格納状態の平面図、（ｂ）は、アンテナ１を引き抜き直後のアンテナ電極２の位置を示す平面図、（ｃ）は、引き抜いた後の平面図で、アンテナ電極２がアンテナ収納溝３の底部９に落下した状態の平面図である。
【００２０】
尚、本実施の形態で示した図２のようなバネによる反発性部材８の代わりに、図５に拡大断面図で示したように、金属ストッパー７の先端にゴムのような反発性部材１０を取り付けておいてもよい。
【００２１】
また、マイナス電極端子５およびプラス電極端子４は、図６に断面図で示すように、アンテナ溝底部９の周辺壁に設けて、それらの端部近くに一対の膨らみ４ｂと５ｂを設けて、はじき飛ばされてきたアンテナ電極２が再び飛び出さないように閉じこめかつ両電極４，５に完全接触できる構造でもよい。
【００２２】
ところで、緊急発信装置６の発信信号を、携帯電話機の短縮ダイアルの第１番目に指定した緊急通報番号の信号である構成とした。こうしておけば、希望の緊急連絡先にいち早く連絡でき、また持ち主が日ごろから一番に連絡のとりたい相手に自動的に連絡できるので、一早く異常を察知してもらえて危機脱出を早められる。もちろん、第１番目に指定する緊急通報番号を、警察１１０番、救急１１９番または警備会社番号など自分が第１に緊急通報をしたい電話先としてもよく、さらには、発信装置の発信信号で警報ブザーを鳴らしたり警報ランプを点灯するようにして、即身近に知らせても良い。
【００２３】
なお、一端外れたアンテナ電極は、再びアンテナの先端に嵌め込んでまた使用することができる。
【００２４】
【発明の効果】
以上のように本発明の携帯電話機は、アンテナが一定以上の力で引っ張られると、アンテナの下部先端に取り付けられたアンテナ電極がアンテナから外れてアンテナ収納溝の底部に落下し、底部に設けられたプラス電極端子とマイナス電極端子の両電極に接触して警報発信装置の回路を閉じ、前記警報発信装置が緊急通報信号を発信する構成になっており、更にその発信信号は、携帯電話機の短縮ダイアルの第１番目に指定した緊急通報番号の信号、あるいは携帯電話機に組込まれたブザーをならす信号としたものであるから、
（１）緊急時アンテナを引っ張るだけの極めて簡単な操作で、特にキー操作やスイッチ操作の不得手な老人子供また女性達でも、咄嗟時に素早く急を知らせることができる。
（２）持ち主が日ごろ一番に連絡のとりたい相手に自動的に連絡できる。
（３）ブザーも鳴らせばその場で周りに通知し助けを求めることができる。
（４）アンテナバーを引っ張るという突飛な発明であるが、バー状で引っ張りたくなる人間の心理をうまく活用していて普及しやすい。
（５）アンテナを引っ張った携帯電話機を気づかれないように犯人の所持品や車の中にこっそり忍ばせたり、放り込んだりすれば、その携帯電話機が逆探知機の役割をして、犯人逮捕を早める可能性もあり、昨今必要性の増す個人の安全対策に有効であるなど我々にとって極めて有用な発明である。
【図面の簡単な説明】
【図１】本発明の一実施の形態による携帯電話機で、裏蓋を外した内部のアンテナ部を示す平面図
【図２】同、アンテナ電極周囲を示す断面図
【図３】同、アンテナ溝底部における爪部の拡大断面図
【図４】同、緊急通報時前後のアンテナ部内の状態説明図で、
（ａ）は、アンテナ格納状態の平面図
（ｂ）は、アンテナを引き抜き直後のアンテナ電極の位置を示す平面図
（ｃ）は、アンテナを引き抜いた後、アンテナ電極がアンテナ収納溝の底部に落下した状態の平面図
【図５】同、アンテナ金属ストッパー部の拡大断面図
【図６】同、アンテナ溝底部におけるふくらみ部の拡大説明図
【図７】（ａ）は、従来の緊急通報機能付き携帯電話機におけるブロック図
（ｂ）は、同、緊急入力検出手段のブロック図
【符号の説明】
１  アンテナ
２  アンテナ電極
３  アンテナ収納溝
４  プラス電極端子
４ａ  爪
５  マイナス電極端子
６  警報発信装置
７  金属ストッパー
８  反発性部材
９  アンテナ溝底部
１１  ベース
【図１】
0003879570.tif 000002
【図２】
0003879570.tif 000003
【図３】
0003879570.tif 000004
【図４】
0003879570.tif 000005
【図５】
0003879570.tif 000006
【図６】
0003879570.tif 000007
【図７】
0003879570.tif 000008